(57)【要約】【課題】葬儀の際に故人供養の為に使用する盛り篭であって、該盛り篭内の果物や菓子類などを均等に分配し易いようにした葬儀用盛り篭の提供。【解決手段】果物や菓子類などを一旦ボックス１に収容し、篭本体５には台板８ａ，８ｂを備えた支持棚６を配置し、支持棚６の台板８ａ，８ｂにボックス１，１…を載せて盛り付けする。【選択図】　　　　図５
2004041350.tif 000002
【特許請求の範囲】
【請求項１】
葬儀の際に故人供養の為に使用する盛り篭において、果物や菓子類などをボックスに収容し、該ボックスを篭本体に盛り付けしたことを特徴とする葬儀用盛り篭。
【請求項２】
葬儀の際に故人供養の為に使用する盛り篭において、果物や菓子類などをボックスに収容し、篭本体には台板を備えた支持棚を配置し、該支持棚の台板に上記ボックスを載せて盛り付けしたことを特徴とする葬儀用盛り篭。
【請求項３】
上記支持棚は支持板と該支持板から正面側へ延びる台板から成り、支持板の下端は篭本体の底に当てると共に、上端は持ち手部に当てて傾斜して配置した請求項２記載の葬儀用盛り篭。
【請求項４】
上記台板にはボックス底が当る背板を設けた請求項３記載の葬儀用盛り篭。
【請求項５】
上記ボックスは本体と蓋を有すと共に、該本体及び蓋には果物や菓子類などを収容し、ボックスの本体を支持棚の台板に載せ、蓋は篭本体から外へはみ出して開いた状態で盛り付けした請求項２、請求項３、請求項４記載の葬儀用盛り篭。
【請求項６】
上記支持棚に載せたボックスの他に、果物や菓子類などを単独で篭本体に入れて盛り付けした請求項２、請求項３、請求項４、又は請求項５記載の葬儀用盛り篭。
【発明の詳細な説明】
【０００１】
【発明の属する技術分野】
本発明は葬儀において、近い親戚、及び親しい友人が故人を偲んで、供養の為に祭壇に供える盛り篭に関するものである。
【０００２】
【従来の技術】
葬儀の様式も地域によって多少の違いがある為に、本発明が対象とする盛り篭は我が国全土の葬儀に当て嵌まるものではないかも知れない。しかし、少なくとも出願人の所在する地域では、故人を偲んでその供養の為に近い親戚及び親しい友人は祭壇に盛り篭を飾ることが多い。
【０００３】
この盛り篭とは図６に示しているような形態であり、篭本体に果物や菓子類などを盛り付けし、その上には透明のビニールシートを被せて紐で結んである。ところで、大きな葬儀、例えば生前に大きな業績を残した会社経営者や著名人の葬儀ともなれば、花輪や献花はもとより、数多くの盛り篭が所狭しと配列される。
【０００４】
そして、該葬儀が終ったところで盛り篭は解体されて盛り付けされている果物や菓子類などを取出し、葬儀に出席した人に配ることが昔からの慣習となっている。ところが、これら数多くの盛り篭を解体して必要な人数分に分けることは非常に時間がかかると共に面倒な作業となる。葬儀が終って出棺し、少なくとも火葬されたお骨を火葬場から持ち帰るまでの間に準備しなくてはならない。
【０００５】
葬儀においては他に多くの仕事がある為に、多くの盛り篭の解体作業に時間が足りないのが実状である。そして、盛り篭内の果物や菓子類などを必要な人数分に分ける場合、種類及び個数が片寄ることなく均等になるように分けることが必要であることから、一段と時間がかかってしまう。さらに、盛り篭を解体することで上げ底状態で盛り付けしている多くのラップや紙屑が周りに散乱し、この後始末も面倒となる。
【０００６】
【発明が解決しようとする課題】
このように、葬儀に使用される盛り篭には上記のごとき問題がある。本発明が解決しようとする課題はこの問題点であり、盛り篭内の果物や菓子類を均等に分け易いようにした葬儀用盛り篭を提供する。
【０００７】
【課題を解決する為の手段】
本発明に係る葬儀用盛り篭は、果物や菓子類等をボックスに一旦収容し、該ボックスを篭本体に収納する。ここでボックスの形態は限定しないが、仕切りを有したボックスに個々の果物や菓子類などを収容し、一般には複数個のボックスを篭本体に盛り付けする。勿論、上記仕切りを備えないボックスとすることも出来る。そして、複数個のボックスを盛り付けする為に支持棚を使用することが出来る。さらに、ボックスに収容した果物や菓子類などの他に、単独の果物や菓子類などを篭本体に盛り付けすることもある。以下、本発明に係る実施例を図面に基づいて詳細に説明する。
【０００８】
【実施例】
図１は果物及び菓子を収容したボックス１を示している。該ボックス１は一般に紙製であって、比較的厚手の紙を折畳んで構成し、ボックス本体２と蓋３から成っている。そして、ボックス本体２には複数の果物が収容され、一方の蓋３にも複数の菓子が納まっている。蓋３はボックス本体２に取付けられて開閉することが出来、ボックス本体２の両側には持ち運び出来るように持ち手４，４が取付けられている。
【０００９】
図２は蓋３を閉じた状態であり、同図に示すように両持ち手４，４を握って持ち運びすることが出来る。従って、従来の盛り篭を解体して分けた果物や菓子類などを再び袋に詰める必要もなく、篭本体からボックス１を取出して蓋３を閉じるだけでそのまま持ち運び可能と成る。
【００１０】
図３、図４、図５は盛り篭本体にボックス１，１…を盛り付けした状態を示し、正面図、平面図、及び側面図を表わしている。篭本体５には４個のボックス１，１…が盛り付けされていて、蓋３，３…は開いている。ボックス本体２，２…は中央側に位置すると共に、蓋３，３…は外側に向いて開いている。
【００１１】
ところで、４個のボックス１，１…を１つの篭本体５に見栄え良く盛り付けすることは出来ない為に、該実施例では支持棚６を使用している。該支持棚６は支持板７に台板８ａ，８ｂを取着し、台板８ａには背板９ａが取付けられて下方へ延び、台板８ｂには背板９ｂが取付けられて上方へ延びている。又、台板８ａには背板１０が取付けられて上方へ延びている。
【００１２】
上記支持板７は篭本体５に嵌る幅寸法を有し、高さは持ち手部１１の上端付近まで達する高さから成る板材であり、図５に示しているように下端を篭本体５の底に当てると共に上端を持ち手部１１の上端部に当るように傾斜して配置されている。従って、支持板７に対して垂直に取付けられている台板８ａ，８ｂは支持板７側を低くして傾斜している。
【００１３】
そこで、台板８ａ，８ｂにはボックス１，１…を載せることが出来、該ボックス底は背板９ａ，９ｂ及び背板１０に当り、台板８ａ，８ｂは傾斜している為に落下することはなく、安定して載置される。下側の台板８ｂに載るボックス１はその上下端部が背板９ａ，９ｂに当って転倒せず、又台板８ａに載るボックス１は上方へ大きく延びている背板１０に当って転倒しないように成っている。
【００１４】
そして、上記背板９ａ，９ｂの位置は背板１０より前面側に位置している為に、台板８ｂに載っている下側のボックス１は台板８ａに載っている上側のボックス１に対して前面側へ突出している。従って、篭本体１に盛り付けされるボックス１，１…は全体として立体感が形成され、勿論、重量がバランスして安定する。
【００１５】
ところで、実施例では４個のボックス１，１…を盛り付けした場合を示しているが、盛り付けされるボックス１，１…の個数は限定しない。そこで２個のボックス１，１を盛り付けする場合であるならば、上記支持棚６の形態は異なり、上側の台板８ａは不要となる。そして背板９ｂを取付けないで、支持板７にボックス１，１の底が当るように載置することが出来る。
【００１６】
一方、このような支持棚６を用いることなく、２個のボックス１，１を盛り付けする場合であるならば、篭本体５にラップを入れ、ボックス１，１が位置ズレしないように収納することは可能である。以上述べたように、本発明の葬儀用盛り篭は果物や菓子類などを収容したボックスを篭本体に盛り付けしたものであり、次のような効果を得ることが出来る。
【００１７】
【発明の効果】
本発明の盛り篭は果物や菓子類などを篭本体に直接収納するのでなく、ボックスに果物や菓子類などを一旦収容し、このボックスを篭本体に盛り付けしている。従って、葬儀が終って該盛り篭を解体して出席した親戚や友人に分け与える場合に、ボックス毎差し上げることが出来る。ボックスには果物や菓子類が前以て均等に収容されている為に、均等に分配する作業は不要となる。
【００１８】
そして、篭本体に入っているラップなどのゴミの発生はなく、盛り篭の後始末に手間がかからない。勿論、ボックス毎分配することが出来る為に、果物などにキズが付くこともない。一方、ボックスに果物や菓子類などを収容し、これを支持棚に載せて篭本体に盛り付けする場合、盛り篭としての見栄えは大きく向上する。又、支持棚に載せて盛り付けすることで各ボックスは定位置に安定し、盛り付け作業は便利である。
【図面の簡単な説明】
【図１】果物及び菓子を収容し、蓋を開いたボックス。
【図２】蓋を閉じた状態のボックス。
【図３】篭本体にボックスを盛り付けした場合の正面図。
【図４】篭本体にボックスを盛り付けした場合の平面図。
【図５】篭本体にボックスを盛り付けした場合の側面図。
【図６】従来の盛り篭形態。
【符号の説明】
１　ボックス
２　本体
３　蓋
４　持ち手
５　篭本体
６　支持棚
７　支持板
８　台板
９　背板
１０　背板
１１　持ち手部
【図１】
2004041350.tif 000003
【図２】
2004041350.tif 000004
【図３】
2004041350.tif 000005
【図４】
2004041350.tif 000006
【図５】
2004041350.tif 000007
【図６】
2004041350.tif 000008